(57)【要約】      （修正有）【課題】簡単な構造で、セード内部の電源カバー等による影をぼかして目立たなくし、柔らかでセードに映る光のフォルムが端正な光を照射することができるＬＥＤ常夜灯を備えたＬＥＤ照明装置を提供する。【解決手段】複数のＬＥＤ素子１ａ、１ｂが実装されたＬＥＤ基板２と、ＬＥＤ基板２を搭載する器具本体１０１と、器具本体１０１を覆うセードとからなるＬＥＤ照明装置において、複数のＬＥＤ素子１ａ、１ｂのうち少なくとも１つのＬＥＤ素子１ｂは、他のＬＥＤ素子１ａから独立して点灯消灯可能であって、他のＬＥＤ素子１ａから独立して点灯消灯可能なＬＥＤ素子１ｂの出射光の拡散を行う配光制御部材１０が備えられている。【選択図】図５
2014120400.tif 000002
【特許請求の範囲】
【請求項１】
配光制御部材は、凸状で内部が刳り貫かれているドーム部とＬＥＤ基板または器具本体に固定される連結部とからなり、前記ドーム部の前記ＬＥＤ基板と接する側は、独立して点灯消灯可能なＬＥＤ素子を収納するための空間が形成され、前記ドーム部の凸状の表面から、前記独立して点灯消灯可能なＬＥＤ素子の出射光が照射されることを特徴としたＬＥＤ照明装置。
【発明の詳細な説明】
【技術分野】
【０００１】
本発明は、天井に取り付けて使用されるＬＥＤ照明装置に関して、特にＬＥＤ素子を使用した常夜灯に関する。
【背景技術】
【０００２】
近年、環境意識の高まりから、省電力化に優れたＬＥＤ素子を光源に使用した、ＬＥＤ照明装置が盛んに用いられるようになってきた。特に最近は、室内用の照明装置である、天井面に直接取り付けられるシーリングライトや、天井面から吊り下げられるペンダントライトの光源としてもＬＥＤ素子が使用されるようになってきた。そして、これら照明装置には、ＬＥＤ素子を使用した常夜灯が備えられている。
【０００３】
特許文献１に記載されている照明装置（実施の形態２）は、照明モジュールと常夜灯モジュールとを別体に設け、常夜灯モジュールは、矩形板状をなす基板と、該基板に実装された常夜灯ＬＥＤと、該常夜灯ＬＥＤに一定電流を供給する定電流ＩＣとを備えてなる。それによって、照明装置の大きさや形状に応じて、複数個の常夜灯モジュールをアダプタや電源部との仕切枠の周囲に配置でき、電源回路や仕切枠等で遮られたとしても、複数の常夜灯モジュールで室内全体を照明することが可能となる照明装置である。
【０００４】
特許文献２に記載されている照明装置は、なつめ型の中空球体の中にＬＥＤ発光体を封入して構成したランプにより、長寿命で消費電力が少ないＬＥＤを常夜灯光源に使用とするものである。
【先行技術文献】
【特許文献】
【０００５】
【特許文献１】特開２０１１−１３４６８４
【特許文献２】特開平１１−１７７１４９
【発明の概要】
【発明が解決しようとする課題】
【０００６】
しかしながら、特許文献１に記載されている照明装置では、別部材のＬＥＤ基板が複数必要で、別途常夜灯用のＬＥＤ素子を実装する工程が必要となり、生産コストが増加する虞がある。また照明装置の中央に位置する円筒形状の電源カバーによって、常夜灯用のＬＥＤ素子からの出射光が一部遮光され、透光性カバーに影が発生してしまう虞がある。
【０００７】
また、特許文献２の照明装置では、ＬＥＤ素子を使用した常夜灯の光は指向性が高いため、セードのある一部分のみが明るくなり、他の暗い部分とのコントラストが強くなって、光のフォルムがいびつになり見難いものとなってしまう。また、部分的に強い光が照射されるため、就寝者に眩しさの不快感を生じさせることにもなってしまう。また特許文献１と同様に、常夜灯用のＬＥＤ基板や部材を別途設ける必要が生じ、生産性が劣ってしまう虞がある。
【０００８】
本発明は、以上のような課題を解決するため鋭意検討した結果なされたものであり、簡単な構造で、セード内部の電源カバー等による影をぼかして目立たなくし、柔らかでセードに映る光のフォルムが端正な光を照射することができるＬＥＤ常夜灯を備えたＬＥＤ照明装置を提供するものである。また、セード内部の電源カバー等による影を発生させず、セードの意匠性を改善するＬＥＤ常夜灯を備えたＬＥＤ照明装置を提供するものである。
【課題を解決するための手段】
【０００９】
請求項１に記載の発明にあたっては、配光制御部材は、凸状で内部が刳り貫かれているドーム部とＬＥＤ基板または器具本体に固定される連結部とからなり、前記ドーム部の前記ＬＥＤ基板と接する側は、独立して点灯消灯可能なＬＥＤ素子を収納するための空間が形成され、前記ドーム部の凸状の表面から、前記独立して点灯消灯可能なＬＥＤ素子の出射光が照射されることを特徴とするものである。
【発明の効果】
【００１０】
請求項１の発明によれば、ＬＥＤ素子からの光が拡散部材によって拡散光となるため、光の輪郭をぼかした柔らかい光となり、雰囲気の良い光となってくつろぎ易い光を放つ常夜灯を備え、生産性に優れたＬＥＤ照明装置を提供できる。
【図面の簡単な説明】
【００１１】
【図１】本実施形態に係わるシーリングライトの外観図
【図２】本実施形態に係わるシーリングライトの断面図
【図３】本実施形態に係わる器具本体の正面図
【図４】本実施形態の配光制御部材を示し、（ａ）は正面図、（ｂ）は右側面図、（ｃ）は裏面図、（ｄ）は外観斜視図である。
【図５】本実施形態の常夜灯が実装されたＬＥＤ基板を示し、（ａ）は外観斜視図、（ｂ）は同図記載のＡ−Ａ’の線断面図である。
【図６】本実施形態の配光制御部材を取り付けないときの、セードに照射された常夜灯の照射形状の模式図である。
【図７】本実施形態の配光制御部材を取り付けたときの、セードに照射された常夜灯の照射形状の模式図である。
【発明を実施するための形態】
【００１２】
以下に本発明の好適な実施の形態について、図面を参照しながら説明する。なお本実施形態では、天井直付けのシーリングライト１００に常夜灯を設置したが、常夜灯を備えるペンダントライト等の他のＬＥＤ照明装置にも適用できる。
図１は本実施形態に係わるシーリングライト１００の外観図である。
【００１３】
図２は本実施形態に係わるシーリングライト１００の断面図である。シーリングライト１００は、ＬＥＤ素子が実装されたＬＥＤ基板２とＬＥＤ駆動電源部３とを備えた器具本体１０１と、器具本体１０１を覆う透光性のセード１０２と、引っ掛けシーリングアダプタ（図示しない）を収納するアダプタカバー１０３とを備えている。
【００１４】
器具本体１０１は、中央部に引っ掛けシーリングアダプタを挿入するための開口部４が設けられたドーナツ状をしており、ＬＥＤ素子１ａ、１ａ、１ａ・・・が同心円上に実装された複数のＬＥＤ基板２を固定している。そのうちの１つのＬＥＤ基板２に、ＬＥＤ素子１ａに加えて、常夜灯として使用するＬＥＤ素子１ｂが実装されている。これらＬＥＤ素子１ａには昼白色のＬＥＤ素子を使用し、ＬＥＤ素子１ｂには、電球色のＬＥＤ素子を使用している。
ＬＥＤ基板２は、図３に示したように、台形の板状基板で、８枚使用し連接して円形を成している。
ＬＥＤ駆動電源部３は、商用交流電源を整流、平滑した直流電源をＬＥＤに供給するものであり、アダプタカバー１０３の周囲に配置されている。ＬＥＤ素子１ａに直流を供給する回路と、ＬＥＤ素子１ｂに直流を供給する回路の二つの回路を備えている。
【００１５】
セード１０２はドーム形状で、頂部を中心として、アダプタカバー１０３と連通する円形の開口が形成されている。
アダプタカバー１０３は円筒形状で、両端面が開口しており、上端面側が器具本体１０１の開口周縁部に固定され、下端面側がセード１０２の開口部に固定され、更にセンターキャップ１０４で塞がれている。
【００１６】
配光制御部材１０は、図４に示すように、凸状で内部が刳り貫かれているドーム部１０ａと、器具本体に取り付けるための連結部１０ｂとからなり、ポリカーボネート等の透光性の樹脂を使用して、一体に成形されている。ドーム部１０ａの曲面は梨地処理され拡散効果を高めている。
【００１７】
図５に示したように、中空筒部１０ｃの上部にドーム部１０ａを一体成形したものであり、その内部空間は、ＬＥＤ素子１ｂを囲む容積を有し、その一端部が、ＬＥＤ素子１ｂを囲むようにＬＥＤ基板２に密着して接合している。この接合部からＬＥＤ素子１ｂの出射光は漏れず、ドーム部からのみ光が出射される。図３及び図５（ｂ）に示すように、器具本体１０１に配光制御部材１０を取付けるための取付穴１０１ａが設けられ、連結部１０ｂの取付け穴を通じて、挿入ピン１１によって器具本体１０１に固定されている。なお本実施形態では、ドーム部１０ａの内壁を、略半球状にしたが、例えば凸レンズ形状または凹レンズ形状の拡散面を形成し、出射光の拡散を制御することもできる。
【００１８】
常夜灯ＬＥＤ素子１６からの出射光は、ドーム部１０ａを通過することで拡散され光が和らぐので、セード内部の電源カバー等の影がぼかされ目立たなくなり、セードに映る常夜灯の光のフォルムが端正なものとなる。ドーム部１０ａの表面の粗度や厚さを変えることで、明るさや影のぼかし具合を調整することができる。
図６は、配光制御部材１０を取り付けていない場合の、セードに照射された常夜灯の照射形状の模式図で、セードの左側にＬＥＤ駆動電源部３とアダプタカバー１０３との影が生じる。それに対して、図７は、配光制御部材１０を取り付けた場合の、セードに照射された常夜灯の照射形状の模式図であり、影のない円形の照射形状が得られ、更に中空筒部１０ａの高さを変えることでスポット光の大きさや明るさを調整でき、更に中空筒部１０ａの内壁の反射度合いを変えることでも明るさを調整できる。
また本実施形態では配光制御部材１０の出射開口部の形状を円形としたが、星型等にして意匠性のある照射形状をセードに映すことができる。
【符号の説明】
【００１９】
１ａ：主光源用ＬＥＤ素子
１ｂ：常夜灯用ＬＥＤ素子
２：ＬＥＤ基板
３：ＬＥＤ駆動電源部
４：器具本体中央の開口
１０：配光制御部材、１０ａ：ドーム部、１０ｂ：連結部、１０ｃ：中空筒部
１１：挿入ピン
１００：シーリングライト
１０１：器具本体
１０２：セード
１０３：アダプタカバー
１０４：センターキャップ
【図１】
2014120400.tif 000003
【図２】
2014120400.tif 000004
【図３】
2014120400.tif 000005
【図４】
2014120400.tif 000006
【図５】
2014120400.tif 000007
【図６】
2014120400.tif 000008
【図７】
2014120400.tif 000009